(57)【要約】【課題】収納代行業務を確実に処理することができる収納票処理装置を提供する。【解決手段】ＰＯＳ端末１Ａ（収納票処理装置）であって、収納票Ｓの吸入部６および排出部７と、複数の収納票Ｓを格納可能な保留部４０と、搬送路１０と、搬送路１０の搬送方向を制御する駆動制御部と、収納票Ｓの画像を取得するスキャナ部２０（画像取得部）と、データコード解析部と、を備えている。また、ＰＯＳ端末１Ａは、収納票Ｓに印紙が貼り付けられているか否かを判定する印紙貼付判定部と、収納票Ｓに領収印を形成する領収印形成部と、を備えている。そして、印紙の貼り付けが必要な収納票Ｓを排出部７に移動させ、印紙の貼り付けが不要な収納票Ｓと、印紙が貼り付けられている収納票Ｓと、を保留部４０に移動させる。さらに、保留部４０への収納票Ｓの格納が終了すると、保留部４０の全ての収納票Ｓを排出部７に移動させ、収納票Ｓに領収印を形成する。【選択図】図４
2017151777.tif 000002
【特許請求の範囲】
【請求項１】
印紙の貼り付けが必要か否かを示す情報を含むデータコードが記載された収納票の吸入部および排出部と、
複数の前記収納票を格納可能な保留部と、
前記吸入部および前記排出部と前記保留部との間で前記収納票を搬送する搬送路と、
前記搬送路における前記収納票の搬送方向を制御する駆動制御部と、
前記搬送路において、前記収納票を光学的に読み取って、前記収納票の画像を取得する画像取得部と、
前記搬送路において、前記データコードの情報を解析するデータコード解析部と、
前記収納票の画像に基づいて、前記収納票に印紙が貼り付けられているか否かを判定する印紙貼付判定部と、
前記保留部から前記排出部に移動する前記収納票に領収印を形成する領収印形成部と、を備え、
前記駆動制御部は、
前記データコード解析部において、印紙の貼り付けが必要と判定された前記収納票を前記排出部に移動させ、
前記データコード解析部において、印紙の貼り付けが不要と判定された前記収納票と、前記印紙貼付判定部において、印紙が貼り付けられていると判定された前記収納票と、を前記保留部に移動させ、
前記保留部への前記収納票の格納が終了すると、前記保留部に格納された全ての前記収納票を前記排出部に移動させ、前記領収印形成部によって前記収納票に領収印が形成されることを特徴とする収納票処理装置。
【請求項２】
請求項１に記載の収納票処理装置であって、
前記駆動制御部は、
前記保留部への前記収納票の格納が終了した場合と、
前記保留部が前記収納票を格納可能な上限に達した場合と、のいずれかにおいて、
前記保留部に格納された全ての前記収納票を前記排出部に移動させることを特徴とする収納票処理装置。
【請求項３】
請求項１または請求項２に記載の収納票処理装置であって、
複数の前記収納票を格納可能な他の保留部を備え、
前記駆動制御部は、
前記データコード解析部において、印紙の貼り付けが必要と判定された前記収納票を前記他の保留部に移動させ、
前記他の保留部への前記収納票の格納が終了すると、前記他の保留部に格納された全ての前記収納票を前記排出部に移動させ、前記領収印形成部によって前記収納票に領収印が形成されることを特徴とする収納票処理装置。
【請求項４】
請求項１から請求項３のいずれか一項に記載の収納票処理装置であって、
前記データコード解析部において、印紙の貼り付けが必要と判定された前記収納票の印紙貼付領域に印紙貼付印を形成する貼付印形成部を備え、
前記印紙貼付判定部は、
前記収納票の画像における前記印紙貼付印の有無に基づいて、前記収納票の前記印紙貼付領域に印紙が貼り付けられているか否かを判定することを特徴とする収納票処理装置。
【請求項５】
請求項１から請求項４のいずれか一項に記載の収納票処理装置であって、
前記収納票にはミシン目を介して受領証が形成されており、
前記画像取得部は、前記収納票の表面の画像を取得するとともに、前記収納票の裏面に光を照射する光源を備え、
前記駆動制御部は、
前記収納票の画像における前記ミシン目の位置に基づいて、前記ミシン目を前記排出部に移動させ、前記受領証を前記排出部から外部に突出させることを特徴とする収納票処理装置。
【請求項６】
請求項１から請求項５のいずれか一項に記載の収納票処理装置であって、
前記収納票の画像における前記収納票のサイズに基づいて、前記収納票から受領証が切り離されたか否かを判定する受領証判定部を備えていることを特徴とする収納票処理装置。
【請求項７】
請求項６に記載の収納票処理装置であって、
前記受領証判定部において、前記収納票から前記受領証が切り離されていると判定された前記収納票を格納する収納票格納部を備えていることを特徴とする収納票処理装置。
【請求項８】
請求項１から請求項７のいずれか一項に記載の収納票処置装置であって、
前記保留部は、回転軸と、前記回転軸に巻き取られるシートと、を備え、
前記シートとともに、前記収納票が前記回転軸に巻き取られることを特徴とする収納票処理装置。
【発明の詳細な説明】
【技術分野】
【０００１】
本発明は、収納票処理装置に関する。
【背景技術】
【０００２】
コンビニエンスストアなどの店舗において、通信販売の購入代金や公共料金の支払いを行うための収納代行システムでは、店舗に設置されたＰＯＳ端末（収納票処理装置）を用いて収納票を処理している。
従来のＰＯＳ端末としては、収納票のコードデータに基づいて、印紙の貼り付けが必要か否かを判定し、処理する収納票の枚数と、発行する印紙の枚数とを表示パネルに表示するように構成されているものがある（例えば、特許文献１参照）。
【先行技術文献】
【特許文献】
【０００３】
【特許文献１】特開２００８−２１０２９６号公報
【発明の概要】
【発明が解決しようとする課題】
【０００４】
前記した従来のＰＯＳ端末を用いた収納代行業務では、収納票への印紙の貼り付けや領収印の押印を店員が確認しているため、収納票への印紙の貼り忘れ、収納票への不要な印紙の貼り付け、領収印の押し忘れなど、作業に不備が生じる可能性がある。特に、複数の収納票を連続して処理する場合は、作業に不備が生じ易いという問題がある。
【０００５】
本発明は、前記した問題を解決し、収納代行業務を確実に処理することができる収納票処理装置を提供することを課題とする。
【課題を解決するための手段】
【０００６】
前記課題を解決するため、本発明は、収納票処理装置であって、印紙の貼り付けが必要か否かを示す情報を含むデータコードが記載された収納票の吸入部および排出部と、複数の前記収納票を格納可能な保留部と、前記吸入部および前記排出部と前記保留部との間で前記収納票を搬送する搬送路と、前記搬送路における前記収納票の搬送方向を制御する駆動制御部と、を備えている。また、前記収納票処理装置は、前記搬送路において、前記収納票を光学的に読み取って、前記収納票の画像を取得する画像取得部と、前記搬送路において、前記データコードの情報を解析するデータコード解析部と、を備えている。また、前記収納票処理装置は、前記収納票の画像に基づいて、前記収納票に印紙が貼り付けられているか否かを判定する印紙貼付判定部と、前記保留部から前記排出部に移動する前記収納票に領収印を形成する領収印形成部と、を備えている。前記駆動制御部は、前記データコード解析部において、印紙の貼り付けが必要と判定された前記収納票を前記排出部に移動させ、前記データコード解析部において、印紙の貼り付けが不要と判定された前記収納票と、前記印紙貼付判定部において、印紙が貼り付けられていると判定された前記収納票と、を前記保留部に移動させる。さらに、前記保留部への前記収納票の格納が終了すると、前記保留部に格納された全ての前記収納票を前記排出部に移動させ、前記領収印形成部によって前記収納票に領収印が形成される。
【発明の効果】
【０００７】
本発明の収納票処理装置では、印紙の貼り付けが正しく処理された収納票のみに対して領収印が形成されるため、収納代行業務を確実に処理することができる。
また、本発明の収納票処理装置では、複数の収納票を連続して処理し、収納金額をまとめて支払うことができるため、金銭の支払いを効率良く処理することができる。
【図面の簡単な説明】
【０００８】
【図１】本発明の第一実施形態に係るＰＯＳ端末を示した斜視図である。
【図２】本発明の第一実施形態に係るＰＯＳ端末の構成を示したブロック図である。
【図３】本発明の第一実施形態に係る制御部の構成を示したブロック図である。
【図４】本発明の第一実施形態に係るＰＯＳ端末の内部構造を示した構成図である。
【図５】本発明の第一実施形態に係る収納票を示した図である。
【図６】本発明の第一実施形態に係る収納票に記載されたデータコードのコード体系を示した説明図である。
【図７】本発明の第一実施形態に係るＰＯＳ端末における収納票処理の流れを示したフローチャートである。
【図８】本発明の第一実施形態に係るＰＯＳ端末における収納票処理の流れを示したフローチャートである。
【図９】本発明の第一実施形態に係るＰＯＳ端末における収納票処理の流れを示したフローチャートである。
【図１０】本発明の第一実施形態に係るＰＯＳ端末における収納票処理の流れを示したフローチャートである。
【図１１】本発明の第一実施形態に係るＰＯＳ端末における収納票処理の流れを示したフローチャートである。
【図１２】本発明の第一実施形態に係るＰＯＳ端末の変形例を示した図で、収納票格納部が独立している構成の内部構造を示した構成図である。
【図１３】本発明の第一実施形態に係るＰＯＳ端末の変形例を示した図で、二つの軸を有する保留部を設けた構成の内部構造を示した構成図である。
【図１４】本発明の第二実施形態に係るＰＯＳ端末の内部構造を示した構成図である。
【図１５】本発明の第二実施形態に係るＰＯＳ端末における収納票処理の流れを示したフローチャートで、（ａ）および（ｂ）は印紙貼付処理の流れを示したフローチャートである。
【図１６】本発明の第二実施形態に係るＰＯＳ端末において、印紙貼付処理の流れを示したフローチャートである。
【図１７】本発明の第三実施形態に係るＰＯＳ端末の内部構造を示した構成図である。
【図１８】本発明の第三実施形態に係るＰＯＳ端末において、収納票格納処理の流れを示したフローチャートである。
【発明を実施するための形態】
【０００９】
本発明の実施形態について、適宜図面を参照しながら詳細に説明する。
なお、各実施形態の説明において、同一の構成要素に関しては同一の符号を付し、重複した説明は省略するものとする。
【００１０】
［第一実施形態］
本発明の第一実施形態のＰＯＳ端末１Ａ（特許請求の範囲における「収納票処理装置」）は、商品の登録や代金支払いに関する物販処理機能と、収納代行業務に関する収納代行処理機能と、を有している。
【００１１】
第一実施形態のＰＯＳ端末１Ａは、図１に示すように、データコードリーダ２と、店員側タッチパネル３と、顧客側タッチパネル４と、現金処理部５と、吸入部６と、排出部７と、を備えている。また、ＰＯＳ端末１Ａの内部には、図２に示すように、制御部１００と、通信部２００と、記憶部８と、搬送路１０と、スキャナ部２０と、プリンタ部３０と、保留部４０と、収納票格納部５０と、が設けられている。
【００１２】
データコードリーダ２は、図１に示すように、商品などに記載されているデータコードを光学的に読み取って解析し、データコードに含まれている情報を取得するものである。
【００１３】
店員側タッチパネル３は、表示機能および入力機能を有しているタッチパネル式のディスプレイである。店員側タッチパネル３は、ＰＯＳ端末１Ａが設置される店舗の店員が各種情報の確認やＰＯＳ端末１Ａの操作を行うために用いられる。
顧客側タッチパネル４は、表示機能および入力機能を有しているタッチパネル式のディスプレイである。顧客側タッチパネル４は、顧客が商品の購入や収納代行を行うときに各種情報の確認や承認などを行うために用いられる。
【００１４】
現金処理部５は、現金を処理するための部位である。現金処理部５は、入金された現金を計数して入金額を取得し、支払金額よりも入金額が大きい場合は釣銭を出金する。
【００１５】
吸入部６は、図４に示すように、収納票Ｓをセットする部位である。吸入部６に載置された収納票Ｓは、後記するピックアップローラ１４および分離部１５によって、一枚ずつ吸入口６ａに吸入される。吸入部６には収納票Ｓを検知するセンサ（図示せず）が設けられている。
【００１６】
排出部７は、ＰＯＳ端末１Ａ内で処理された収納票Ｓを外部に排出する部位である。ＰＯＳ端末１Ａ内で処理された収納票Ｓは排出口７ａから外部に送り出される。
【００１７】
記憶部８は、図２に示すように、物販処理や収納代行処理における入力データなどの各種データを記憶するとともに、ＰＯＳ端末１Ａの動作を制御するためのプログラムが格納されている。また、店員側タッチパネル３および顧客側タッチパネル４に表示する各種の画面情報も記憶部８に格納されている。
【００１８】
制御部１００は、記憶部８に格納されているプログラムに基づいて、ＰＯＳ端末１Ａの各部の動作を制御するものである。制御部１００の詳細な構成については後述する。
【００１９】
通信部２００は、有線または無線により他の情報処理装置との間でデータの送受信を行うための通信モジュールである。例えば、通信部２００は、ＬＡＮ（Ｌｏｃａｌ  Ａｒｅａ  Ｎｅｔｗｏｒｋ）などに接続され、同一店舗内に設置された他のＰＯＳ端末やコンピュータと通信する。また、第一実施形態の通信部２００は、ＬＡＮや電話回線などに接続されており、通信網Ｎを介してセンタサーバ３００と通信している。通信部２００は、ＰＯＳ端末１Ａで収納代行処理が行われた収納票Ｓ（図４参照）に関する情報を、通信網Ｎを介してセンタサーバ３００に送信している。
【００２０】
搬送路１０は、ＰＯＳ端末１Ａの内部に設けられており、図４に示すように、吸入部６および排出部７と、保留部４０との間で収納票Ｓを搬送するものである。また、搬送路１０は、保留部４０から収納票格納部５０にも収納票Ｓを搬送する。
【００２１】
搬送路１０は、複数のローラ、ベルト、駆動モータなどを備えている。搬送路１０では、複数のローラに支持されたベルトを駆動モータによって走行させることで、ベルト上の収納票Ｓを搬送するように構成されている。搬送路１０では、駆動モータの出力軸の回転方向を切り替えることで、収納票Ｓの搬送方向を切り替えることができる。
【００２２】
搬送路１０は、吸入部６と保留部４０との間に設けられた第一搬送路１１と、第一搬送路１１と排出部７との間に設けられた第二搬送路１２と、第一搬送路１１と収納票格納部５０との間に設けられた第三搬送路１３と、を備えている。
【００２３】
第一搬送路１１は、一方の端部が吸入口６ａに接続され、他方の端部は保留部４０に接続されている。第一搬送路１１の一方の端部には、ピックアップローラ１４および分離部１５が設けられている。
ピックアップローラ１４は、吸入部６にセットされた収納票Ｓに接するように移動し、収納票Ｓを吸入口６ａに吸入させるように回転する。
分離部１５は、上下一対のローラを有しており、ピックアップローラ１４によって吸入された収納票Ｓから一枚の収納票Ｓを分離し、収納票Ｓを一枚ずつ吸入口６ａに吸入させる。
【００２４】
第二搬送路１２は、一方の端部が第一ブレード１２ａを介して第一搬送路１１に接続され、他方の端部は排出口７ａに接続されている。
第二搬送路１２は、初期状態では第一搬送路１１から離れており、第一ブレード１２ａの向きを切り替えることで、第二搬送路１２を第一搬送路１１に接続することができる。
第二搬送路１２を第一搬送路１１に接続した状態では、第一搬送路１１上の収納票Ｓを、第二搬送路１２に進入させて、排出口７ａから排出することができる。
【００２５】
第三搬送路１３は、一方の端部が第二ブレード１３ａを介して第一搬送路１１に接続され、他方の端部は収納票格納部５０に接続されている。
第三搬送路１３は、初期状態では第一搬送路１１から離れており、第二ブレード１３ａの向きを切り替えることで、第一搬送路１１に接続することができる。
第三搬送路１３を第一搬送路１１に接続した状態では、第一搬送路１１上の収納票Ｓを、第三搬送路１３に進入させて、収納票格納部５０に格納することができる。
【００２６】
保留部４０は、第一搬送路１１に接続されており、第一搬送路１１上の収納票Ｓを格納可能である。第一実施形態の保留部４０には、複数の収納票Ｓを格納することができる。
保留部４０は、第一回転軸４１と、第二回転軸４２と、第一回転軸４１と第二回転軸４２とに掛け渡されたシート４３と、を備えている。
第一回転軸４１は、第一搬送路１１に対して吸入部６側の反対側に配置されており、第二回転軸４２は、第一回転軸４１よりも吸入部６側に配置されている。
第一回転軸４１および第二回転軸４２は、駆動モータ（図示せず）によって正逆方向に回転可能である。
【００２７】
シート４３は、長手方向の一方側が第一回転軸４１に巻き付けられるとともに、長手方向の他方側が第二回転軸４２に巻き付けられている。
シート４３において、第一回転軸４１と第二回転軸４２との間の部位は、第一搬送路１１のローラに支持されており、第一搬送路１１のベルトに連続している。これにより、第一搬送路１１からシート４３上に収納票Ｓを送り込むとともに、シート４３から第一搬送路１１に収納票Ｓを送り込むことができる。
【００２８】
保留部４０の初期状態では、第二回転軸４２にシート４３の大部分が巻き取られている。そして、第一回転軸４１および第二回転軸４２を正方向に回転させると、第一回転軸４１がシート４３を巻き取り、第二回転軸４２からシート４３が繰り出される。また、第一回転軸４１および第二回転軸４２を逆方向に回転させると、第二回転軸４２がシート４３を巻き取り、第一回転軸４１からシート４３が繰り出される。
【００２９】
シート４３上に収納票Ｓが供給された状態で、第一回転軸４１にシート４３を巻き取ると、シート４３上の収納票Ｓは、シート４３とともに第一回転軸４１に巻き取られる。これにより、第一回転軸４１の外周に収納票Ｓが格納される。第一回転軸４１の外周には、複数の収納票Ｓを格納することができる。
【００３０】
第一回転軸４１の外周に収納票Ｓを格納した状態で、第一回転軸４１からシート４３を繰り出すと、第一回転軸４１の外周に格納されていた収納票Ｓがシート４３とともに第一回転軸４１から繰り出される。このようにして、収納票Ｓを保留部４０から排出して、第一搬送路１１に送り込むことができる。
【００３１】
保留部４０では、第一回転軸４１にシート４３を巻き取り可能な上限に達すると、第一回転軸４１の外周に収納票Ｓを格納可能な上限に達したことになる。この場合は、保留部４０が満杯であることを示す信号が、保留部４０から制御部１００に出力される。
【００３２】
スキャナ部２０（特許請求の範囲における「画像取得部」）は、第一搬送路１１において、収納票Ｓを光学イメージセンサによって読み取ることで、収納票Ｓの画像を取得するものである。スキャナ部２０が取得した収納票Ｓの画像は、制御部１００に入力されるとともに、記憶部８に記憶される。
第一実施形態のスキャナ部２０は、第一搬送路１１において、第一ブレード１２ａおよび第二ブレード１３ａよりも第一回転軸４１側に配置されている。第一実施形態では、スキャナ部２０がシート４３上の収納票Ｓを読み取るように構成されている。
【００３３】
プリンタ部３０（特許請求の範囲における「貼付印形成部」および「領収印形成部」）は、収納票Ｓに印紙貼付印および領収印を印刷するものである。
第一実施形態のプリンタ部３０は、第一搬送路１１において、スキャナ部２０よりも第一回転軸４１側に配置されている。第一実施形態のプリンタ部３０は、シート４３上の収納票Ｓに印紙貼付印および領収印を印刷するように構成されている。
【００３４】
収納票格納部５０は、受領証が切り離された収納票Ｓを格納する部位である。収納票格納部５０は、第三搬送路１３の端部に配置されており、第三搬送路１３から供給された収納票Ｓを格納する。収納票格納部５０には複数の収納票Ｓを格納可能である。
【００３５】
次に、第一実施形態のＰＯＳ端末１Ａの制御部１００について詳細に説明する。
制御部１００は、図２に示すように、ＰＯＳ端末１Ａを構成する各部の動作を制御するものである。制御部１００の各処理は、記憶部８に記憶されているプロクラムをＣＰＵ（Ｃｅｎｔｒａｌ  Ｐｒｏｃｅｓｓｉｎｇ  Ｕｎｉｔ）が実行することで実現される。
制御部１００は、図３に示すように、主制御部１１０と、駆動制御部１２０と、データコード判定部１３０と、データコード解析部１４０と、位置特定部１５０と、印紙貼付判定部１６０と、受領証判定部１７０と、を備えている。
【００３６】
主制御部１１０は、ＰＯＳ端末１Ａの制御を統括し、ＰＯＳ端末１Ａの各部と制御部１００との間の情報の入出力や制御信号の出力などを行う。
【００３７】
データコード判定部１３０は、スキャナ部２０が取得した収納票Ｓの画像におけるデータコードの位置に基づいて、第一搬送路１１（図４参照）上の収納票Ｓが正しい向きか否かを判定する。
データコード判定部１３０は、収納票Ｓの画像におけるデータコードの位置を検出し、記憶部８（図２参照）に記憶されているデータコードの基準位置と比較することで、第一搬送路１１上の収納票Ｓが正しい向きが否かを判定する。
【００３８】
データコード解析部１４０は、収納票Ｓのデータコードを解析して、データコードに含まれている情報を取得する。第一実施形態のデータコード解析部１４０は、スキャナ部２０が取得した収納票Ｓの画像におけるデータコードを解析している。
データコード解析部１４０が取得したデータコードの情報は、記憶部８（図２参照）に記憶される。データコードの情報は収納票Ｓを識別するための識別子ともなる。
データコード解析部１４０は、新たに解析したデータコードと同じデータコードが記憶部８に記憶されている場合は、その収納票Ｓは読み取り済みであると判定する。
【００３９】
位置特定部１５０は、プリンタ部３０が収納票Ｓに印紙貼付印および領収印を形成する位置を特定する。例えば、位置特定部１５０は、収納票Ｓの画像に対するＯＣＲ（Ｏｐｔｉｃａｌ  Ｃｈａｒａｃｔｅｒ  Ｒｅｃｏｇｎｉｔｉｏｎ）処理により、領収印領域および印紙貼付領域を示す特定の文字列を検出することで、収納票Ｓに印紙貼付印および領収印を形成する位置を特定することができる。
【００４０】
印紙貼付判定部１６０は、スキャナ部２０が取得した収納票Ｓの画像に基づいて、収納票Ｓに印紙が張り付けられているか否かを判定する。
印紙貼付判定部１６０は、読み取り済みの収納票Ｓを新たに読み取ったときの画像に対して印紙貼付印の検出処理を行う。
印紙貼付判定部１６０は、収納票Ｓの画像において印紙貼付領域から印紙貼付印が検出されない場合は、その収納票Ｓに印紙が貼り付けられていると判定する。また、印紙貼付判定部１６０は、収納票Ｓの画像において印紙貼付領域から印紙貼付印を検出した場合は、その収納票Ｓに印紙が貼り付けられていないと判定する。
【００４１】
受領証判定部１７０は、スキャナ部２０が取得した収納票Ｓの画像に基づいて、収納票Ｓから受領証が切り離されたか否かを判定する。
受領証判定部１７０は、読み取り済みの収納票Ｓを新たに読み取ったときの画像における収納票Ｓのサイズが、前の画像における収納票Ｓのサイズよりも小さい場合は、収納票Ｓから受領証が切り離されていると判定する。
【００４２】
駆動制御部１２０は、制御部１００の各部による判定結果や情報に基づいて、図４に示す搬送路１０および保留部４０を駆動させることで、搬送路１０上の収納票Ｓの搬送方向や搬送ルートを制御するとともに、保留部４０への収納票Ｓの格納・排出を制御する。
【００４３】
駆動制御部１２０（図３参照）は、吸入部６に収納票Ｓがセットされると、ピックアップローラ１４によって収納票Ｓを吸入口６ａに吸入させ、その収納票Ｓを第一搬送路１１を通じて保留部４０のシート４３上に送り込む。
【００４４】
また、駆動制御部１２０（図３参照）は、データコード判定部１３０（図３参照）において、第一搬送路１１上の収納票Ｓが正しい向きではないと判定された場合は、その収納票Ｓを第一搬送路１１および第二搬送路１２を通じて排出口７ａから排出する。
【００４５】
また、駆動制御部１２０（図３参照）は、データコード解析部１４０（図３参照）において、収納票Ｓに印紙の貼り付けが不要と判定された場合は、その収納票Ｓをシート４３とともに第一回転軸４１に巻き取らせ、収納票Ｓを第一回転軸４１の外周に格納する。
【００４６】
また、駆動制御部１２０（図３参照）は、データコード解析部１４０（図３参照）において、収納票Ｓに印紙の貼り付けが必要と判定された場合は、その収納票Ｓを第一搬送路１１および第二搬送路１２を通じて排出口７ａから排出する。
【００４７】
また、駆動制御部１２０（図３参照）は、印紙貼付判定部１６０（図３参照）において、収納票Ｓに印紙が貼り付けられていると判定された場合は、その収納票Ｓをシート４３とともに第一回転軸４１に巻き取らせ、収納票Ｓを第一回転軸４１の外周に格納する。
【００４８】
また、駆動制御部１２０（図３参照）は、印紙貼付判定部１６０（図３参照）において、収納票Ｓに印紙が貼り付けられていないと判定された場合は、その収納票Ｓを第一搬送路１１および第二搬送路１２を通じて排出口７ａから排出する。
【００４９】
また、駆動制御部１２０（図３参照）は、プリンタ部３０によって収納票Ｓに印紙貼付印が印刷されると、その収納票Ｓを第一搬送路１１および第二搬送路１２を通じて排出口７ａから排出する。
【００５０】
また、駆動制御部１２０（図３参照）は、支払い処理において合計金額が承認されない場合は、保留部４０に格納されている全ての収納票Ｓを第一搬送路１１および第二搬送路１２を通じて排出口７ａから排出する。
【００５１】
また、駆動制御部１２０（図３参照）は、印紙が貼り付けられた収納票Ｓの吸入が全て終了すると、保留部４０に格納されている全ての収納票Ｓを第一搬送路１１および第二搬送路１２を通じて排出口７ａから排出する。
【００５２】
また、駆動制御部１２０（図３参照）は、受領証判定部１７０（図３参照）において、収納票Ｓから受領証の切り離しが必要と判定された場合は、その収納票Ｓを第一搬送路１１および第二搬送路１２を通じて排出口７ａから排出する。
【００５３】
また、駆動制御部１２０（図３参照）は、保留部４０が満杯になると、保留部４０に格納されている全ての収納票Ｓを第一搬送路１１および第二搬送路１２を通じて排出口７ａから排出する。
【００５４】
また、駆動制御部１２０（図３参照）は、受領証判定部１７０（図３参照）において、収納票Ｓから受領証が切り離されていると判定された場合は、その収納票Ｓを第一搬送路１１および第三搬送路１３を通じて収納票格納部５０に格納する。
【００５５】
次に、ＰＯＳ端末１Ａが処理する収納票Ｓの一例を説明する。
収納票Ｓは、図５に示すように、通信販売の購入代金や公共料金の支払いを行うための払込取扱票である。収納票Ｓは、全ての処理が終了した後に本部に送られる本部控えＳ１と、店舗に保管される店舗控えＳ２と、顧客に渡される受領証（顧客控え）Ｓ３と、を備えている。
【００５６】
本部控えＳ１には、支払先の口座番号や収納金額などの情報の他に、領収印が印刷される領収印領域Ｓ１ａやデータコードＳ１ｂが記載されている。
データコードＳ１ｂは、収納に関する情報を含む一次元のバーコードである。図６はデータコードＳ１ｂのコード体系を示した説明図であり、データコードＳ１ｂには、収納金額の情報、印紙の貼り付けが必要か否かを示す印紙貼付情報（印紙フラグ）などの情報が含まれている。
【００５７】
店舗控えＳ２には、領収印が印刷される領収印領域Ｓ２ａが記載されている。店舗控えＳ２は、ミシン目Ｌ１を介して本部控えＳ１に連設されている。
【００５８】
受領証Ｓ３には、領収印が印刷される領収印領域Ｓ３ａと、印紙が貼り付けられる印紙貼付領域Ｓ３ｂとが記載されている。受領証Ｓ３は、ミシン目Ｌ２を介して店舗控えＳ２に連設されている。
受領証Ｓ３は、店舗で店員がミシン目Ｌ２を切り開くことで、本部控えＳ１および店舗控えＳ２から切り離される。また、受領証Ｓ３の印紙貼付領域Ｓ３ｂには、ＰＯＳ端末１Ａ（図２参照）によって印紙貼付印が印刷されるとともに、店員によって印紙が貼り付けられる。
【００５９】
次に、第一実施形態のＰＯＳ端末１Ａにおける収納票Ｓの処理について説明する。なお、以下の説明では、図７から図１１に示すフローチャートを適宜に参照する。
【００６０】
＜収納票の吸入・読取処理＞
図４に示す吸入部６に複数の収納票Ｓがセットされ、吸入部６のセンサが収納票Ｓを検出すると（Ｓ１０１においてＹＥＳ）、駆動制御部１２０（図３参照）は、収納票Ｓを吸入口６ａに一枚ずつ吸入させる（Ｓ１０２）。
収納票Ｓは、吸入口６ａから第一搬送路１１に供給され、スキャナ部２０が収納票Ｓを光学的に読み取る（Ｓ１０３）。
【００６１】
データコード判定部１３０（図３参照）は、第一搬送路１１上の収納票Ｓが正しい向きか否かを判定する（Ｓ１０４）。
収納票Ｓが正しい向きではない場合は（Ｓ１０４においてＮＯ）、駆動制御部１２０（図３参照）は、収納票Ｓを排出口７ａから排出する（Ｓ１０５）。また、制御部１００は、収納票Ｓの向きの修正を促す表示を店員側タッチパネル３（図１参照）に表示する（Ｓ１０６）。
収納票Ｓが正しい向きである場合は（Ｓ１０４においてＹＥＳ）、制御部１００は、収納票Ｓの画像を店員側タッチパネル３に表示する（Ｓ１０７）。
【００６２】
データコード解析部１４０（図３参照）は、収納票Ｓの画像におけるデータコードを解析して、データコードに含まれている収納金額情報、印紙貼付情報、識別情報などの情報を取得する（Ｓ１０８）。データコード解析部１４０が取得した情報は、記憶部８（図２参照）に記憶される（Ｓ１０９）。
【００６３】
データコードの印紙貼付情報に、収納票Ｓに印紙の貼り付けが必要であると示されている場合は（Ｓ１１０においてＹＥＳ）、プリンタ部３０によって収納票Ｓに印紙貼付印を印刷する（Ｓ１１１）。そして、駆動制御部１２０は、印紙貼付印が印刷された収納票Ｓを排出口７ａから排出する（Ｓ１１２）。
【００６４】
また、データコードの印紙貼付情報に、収納票Ｓに印紙の貼り付けが不要であると示された場合は（Ｓ１１０においてＮＯ）、駆動制御部１２０（図３参照）は、その収納票Ｓを保留部４０に格納する（Ｓ１１３）。
駆動制御部１２０は、印紙の貼り付けが不要な収納票Ｓを保留部４０に格納したときに、保留部４０が満杯ではない場合は（Ｓ１１４においてＮＯ）、ステップＳ１１５に移行する。
【００６５】
続いて、吸入部６のセンサが他の収納票Ｓを検出した場合は（Ｓ１１５においてＹＥＳ）、制御部１００は、収納票Ｓの吸入・読取処理（Ｓ１０２からＳ１１５）を繰り返す。
また、吸入部６のセンサが他の収納票Ｓを検出しない場合は（Ｓ１１５においてＮＯ）、他の収納票Ｓの吸入・読取を継続するか否かの確認を店員側タッチパネル３（図１参照）に表示する（Ｓ１１７）。
他の収納票Ｓの吸入・読取を継続する場合は（Ｓ１１７においてＹＥＳ）、ステップＳ１０２に戻って、収納票Ｓの吸入・読取処理（Ｓ１０１からＳ１１７）を繰り返す。
【００６６】
ステップＳ１１４において保留部４０が満杯である場合は（Ｓ１１４においてＹＥＳ）、制御部１００（図３参照）は、吸入部６の収納票Ｓを取り出す指示を店員側タッチパネル３（図１参照）に表示する（Ｓ１１８）。
【００６７】
＜支払い処理＞
ステップＳ１１７において、収納票Ｓの吸入・読取処理を継続しない場合は（Ｓ１１７においてＮＯ）、制御部１００（図３参照）は、件数および合計金額と、承認／非承認の選択ボタンとが顧客側タッチパネル４（図１参照）に表示する（Ｓ２０１）。
また、ステップＳ１１４において、保留部４０が満杯であると判定された場合にも、制御部１００（図３参照）は、件数および合計金額と、承認／非承認の選択ボタンとが、顧客側タッチパネル４に表示する（Ｓ２０１）。
【００６８】
顧客が合計金額を承認した場合は（Ｓ２０２においてＹＥＳ）、店員は顧客から現金を受け取り、現金処理部５に現金を入金する。そして、現金処理部５において現金の計数が行われ、支払金額よりも入金額の方が大きい場合は釣銭が出金される（Ｓ２０３）。
【００６９】
顧客が合計金額を承認しない場合は（Ｓ２０２においてＮＯ）は、駆動制御部１２０（図３参照）は、保留部４０に格納されている全ての収納票Ｓを排出口７ａから排出する（Ｓ２０４）。そして、収納代行処理はキャンセルされる（Ｓ２０５）。
【００７０】
＜印紙貼付処理＞
ステップＳ１１０において、印紙の貼り付けが必要であると判定された収納票Ｓがない場合は（Ｓ３０１においてＮＯ）、ステップＳ４０１に移行する。
【００７１】
ステップＳ１１０において、印紙の貼り付けが必要であると判定され、排出口７ａに排出された収納票Ｓがある場合は（Ｓ３０１においてＹＥＳ）、店員によって収納票Ｓの印紙貼付領域に印紙が貼り付けられる。これにより、収納票Ｓの印紙貼付印が印紙によって覆われる。
【００７２】
また、制御部１００は、印紙を貼り付けた収納票Ｓを吸入部６にセットするように促す表示を店員側タッチパネル３（図１参照）に表示する（Ｓ３０２）。
【００７３】
吸入部６のセンサが収納票Ｓを検出すると（Ｓ３０３においてＹＥＳ）、駆動制御部１２０（図３参照）は、収納票Ｓを吸入口６ａに一枚ずつ吸入させる（Ｓ３０４）。
収納票Ｓは、吸入口６ａから第一搬送路１１に供給され、スキャナ部２０が収納票Ｓを光学的に読み取る（Ｓ３０５）。
【００７４】
データコード判定部１３０（図３参照）は、第一搬送路１１上の収納票Ｓが正しい向きが否かを判定する（Ｓ３０６）。
収納票Ｓが正しい向きではない場合は（Ｓ３０６においてＮＯ）、駆動制御部１２０（図３参照）は、収納票Ｓを排出口７ａから排出する（Ｓ３０７）。また、制御部１００は、収納票Ｓの向きの修正を促す表示を店員側タッチパネル３（図１参照）に表示する（Ｓ３０８）。
【００７５】
収納票Ｓが正しい向きである場合は（Ｓ３０６においてＹＥＳ）、データコード解析部１４０（図３参照）は、収納票Ｓの画像におけるデータコードを解析する（Ｓ３０９）。
データコード解析部１４０は、新たに解析したデータコードと同じデータコードが記憶部８に記憶されている場合は、その収納票Ｓの画像を読み取り済みであると判定する（Ｓ３１０においてＹＥＳ）。
【００７６】
収納票Ｓが読み取り済みであり、データコードの印紙貼付情報に印紙の貼り付けが必要であると示されている場合は（Ｓ３１１においてＹＥＳ）、印紙貼付判定部１６０（図３参照）は、新たに取得した画像の収納票Ｓに印紙が張り付けられているか否かを判定する（Ｓ３１２）。
【００７７】
印紙貼付判定部１６０（図３参照）において、収納票Ｓに印紙が貼り付けられていると判定され（Ｓ３１２においてＹＥＳ）、さらに、保留部４０が満杯ではない場合は（Ｓ３１３においてＮＯ）、駆動制御部１２０（図３参照）は、収納票Ｓを保留部４０に格納する（Ｓ３１４）。
【００７８】
収納票Ｓが読み取り済みではない場合は（Ｓ３１０においてＮＯ）、駆動制御部１２０（図３参照）は、収納票Ｓを排出口７ａから排出する（Ｓ３１８）。
【００７９】
収納票Ｓが読み取り済みのものであり（Ｓ３１０においてＹＥＳ）、データコードの印紙貼付情報に収納票Ｓに印紙の貼り付けが不要であると示されており（Ｓ３１１においてＮＯ）、さらに、保留部４０が満杯ではない場合は（Ｓ３１３においてＮＯ）、駆動制御部１２０（図３参照）は、収納票Ｓを保留部４０に格納する（Ｓ３１４）。
【００８０】
ステップＳ３１２において、収納票Ｓに印紙が貼り付けられていないと判定された場合は（Ｓ３１２においてＮＯ）、制御部１００は、収納票Ｓの画像を店員側タッチパネル３に表示する（Ｓ３１５）。そして、収納票Ｓの印紙の有無を店員が画像で確認する。
【００８１】
収納票Ｓに印紙が貼り付けられていることが店員側タッチパネル３（図１参照）に入力され（Ｓ３１６においてＹＥＳ）、さらに、保留部４０が満杯ではない場合は（Ｓ３１３においてＮＯ）、駆動制御部１２０（図３参照）は、収納票Ｓを保留部４０に格納する（Ｓ３１４）。
【００８２】
収納票Ｓに印紙が貼り付けられていないことが店員側タッチパネル３（図１参照）に入力された場合は（Ｓ３１６においてＮＯ）、制御部１００（図２参照）は、収納票Ｓに印紙を貼り付ける指示を店員側タッチパネル３に表示するとともに（Ｓ３１７）、駆動制御部１２０（図３参照）は、収納票Ｓを排出口７ａから排出する（Ｓ３１８）。
【００８３】
ステップＳ３１３において、保留部４０が満杯である場合は（Ｓ３１３においてＹＥＳ）、プリンタ部３０によって収納票Ｓに領収印を印刷する（Ｓ３１９）。その後、駆動制御部１２０（図３参照）は、領収印が印刷された収納票Ｓを排出口７ａから排出する（Ｓ３２０）。
【００８４】
ステップＳ３２１において、収納票Ｓを保留部４０に格納した後に、吸入部６のセンサが収納票Ｓを検出しない場合は（Ｓ３２１においてＮＯ）、制御部１００は、収納票Ｓの印紙貼付処理が終了したことを確認する表示を店員側タッチパネル３に表示する（Ｓ３２２）。
【００８５】
印紙貼付処理が終了したことが店員側タッチパネル３に入力されると（Ｓ３２２においてＹＥＳ）、駆動制御部１２０（図３参照）は、保留部４０に格納されている収納票Ｓを排出する（Ｓ３２３）。そして、プリンタ部３０によって収納票Ｓに領収印が印刷される（Ｓ３２４）。このようにして、駆動制御部１２０は、保留部４０に格納されている全ての収納票Ｓに領収印を印刷し、全ての収納票Ｓを排出口７ａから排出する（Ｓ３２５）。
【００８６】
ステップＳ３２１において、吸入部６のセンサが収納票Ｓを検出した場合は（Ｓ３２１においてＹＥＳ）、ステップＳ３０４に戻って、印紙貼付処理を繰り返す。
ステップ３２２において、印紙貼付処理が終了していないことが店員側タッチパネル３に入力された場合は（Ｓ３２２においてＮＯ）、ステップＳ３０２に戻って、印紙貼付処理を繰り返す。
【００８７】
＜収納票格納処理＞
ステップＳ３２５において、全ての収納票Ｓが排出されると、制御部１００は、店員側タッチパネル３（図１参照）に収納票Ｓから受領証を切り離す指示を表示する（Ｓ４０１）。そして、店員は収納票Ｓから受領証を切り離して、受領証を顧客に渡す。
【００８８】
制御部１００は、店員側タッチパネル３（図１参照）に収納票Ｓから受領証を切り離す指示を表示させた後に、受領証を切り離した収納票Ｓを吸入部６にセットする指示を店員側タッチパネル３に表示する（Ｓ４０２）。
【００８９】
吸入部６のセンサが収納票Ｓを検出すると（Ｓ４０３においてＹＥＳ）、駆動制御部１２０（図３参照）は、収納票Ｓを吸入口６ａに一枚ずつ吸入させる（Ｓ４０４）。
収納票Ｓは、吸入口６ａから第一搬送路１１に供給され、スキャナ部２０が収納票Ｓを光学的に読み取る（Ｓ４０５）。
【００９０】
データコード判定部１３０（図３参照）は、第一搬送路１１上の収納票Ｓが正しい向きが否かを判定する（Ｓ４０６）。
収納票Ｓが正しい向きではない場合は（Ｓ４０６においてＮＯ）、駆動制御部１２０（図３参照）は、収納票Ｓを排出口７ａから排出する（Ｓ４０７）。また、制御部１００は、収納票Ｓの向きの修正を促す表示を店員側タッチパネル３（図１参照）に表示する（Ｓ４０８）。
【００９１】
収納票Ｓが正しい向きである場合は（Ｓ４０６においてＹＥＳ）、データコード解析部１４０（図３参照）は、収納票Ｓの画像におけるデータコードを解析する（Ｓ４０９）。
データコード解析部１４０は、新たに解析したデータコードと同じデータコードが記憶部８に記憶されている場合は、その収納票Ｓの画像を読み取り済みであると判定する（Ｓ４１０においてＹＥＳ）。
【００９２】
収納票Ｓが読み取り済みである場合は、受領証判定部１７０（図３参照）は、新たに取得した画像における収納票Ｓのサイズが、前の画像における収納票Ｓのサイズよりも小さいか否かを判定する（Ｓ４１１）。
【００９３】
受領証判定部１７０は、新たに取得した画像における収納票Ｓのサイズが、前の画像における収納票Ｓのサイズよりも小さい場合は（Ｓ４１１においてＹＥＳ）、収納票Ｓから受領証が切り離されていると判定する。
この場合は、駆動制御部１２０（図３参照）は、受領証が切り離された収納票Ｓを収納票格納部５０に格納する（Ｓ４１２）。
【００９４】
また、受領証判定部１７０は、新たに取得した画像における収納票Ｓのサイズが、前の画像における収納票Ｓのサイズと同じ場合は（Ｓ４１１においてＮＯ）、収納票Ｓから受領証が切り離されていないと判定する。
この場合には、収納票Ｓから受領証を切り離す指示を店員側タッチパネル３（図１参照）に表示し（Ｓ４１４）、収納票Ｓを排出口７ａから排出する（Ｓ４１５）。
【００９５】
ステップＳ４１０において、収納票Ｓが読み取り済みではない場合は（Ｓ４１０においてＮＯ）、制御部１００は、未処理の収納票Ｓであることを店員側タッチパネル３（図１参照）に表示する（Ｓ４１３）。さらに、駆動制御部１２０（図３参照）は、収納票Ｓを排出口７ａから排出する（Ｓ４１５）。
【００９６】
ステップＳ４１２において、収納票Ｓを収納票格納部５０に格納した後に、吸入部６のセンサが収納票Ｓを検出しない場合は（Ｓ４１６おいてＮＯ）、制御部１００は、全ての収納票Ｓの処理が終了したことを確認する表示を店員側タッチパネル３に表示する（Ｓ４１７）。
【００９７】
全ての収納票Ｓの処理が終了したことが店員側タッチパネル３に入力されると（Ｓ４１７においてＹＥＳ）、制御部１００（図３参照）は、他の収納代行処理を追加するか否かを確認する表示を店員側タッチパネル３（図１参照）に表示する（Ｓ４１８）。
【００９８】
収納代行処理を追加しないことが店員側タッチパネル３（図１参照）に入力された場合は（Ｓ４１８においてＮＯ）、制御部１００は、レシート（領収書）を印刷させる（Ｓ４１９）。そして、店員がレシートを顧客に渡して収納代行処理が終了する。
【００９９】
ステップＳ４１６において、吸入部６のセンサが収納票Ｓを検出した場合は（Ｓ４１６においてＹＥＳ）、ステップＳ４０４に戻って、収納票格納処理を繰り返す。
ステップ４１７において、全ての収納票Ｓの処理が終了していないことが店員によって店員側タッチパネル３に入力されると（Ｓ４１７においてＮＯ）、ステップＳ４０１に戻って収納票格納処理を繰り返す。
ステップ４１８において、収納代行処理を追加する場合は（Ｓ４１８においてＹＥＳ）、ステップ１０１に戻って、収納代行処理を繰り返す。
【０１００】
以上のようなＰＯＳ端末１Ａでは、図４に示すように、収納票Ｓを吸入口６ａに吸入させると（一回目の読み取り）、印紙の貼り付けが必要な収納票Ｓは一旦排出口７ａから排出される。これにより、収納票Ｓに確実に印紙を貼り付けることができる。
【０１０１】
また、ＰＯＳ端末１Ａでは、印紙を貼り付けた後に、収納票Ｓを吸入口６ａに吸入させると（二回目の読み取り）、印紙の貼り付けが正しく処理された収納票Ｓのみが保留部４０に格納される。そして、保留部４０から排出された収納票Ｓに領収印が印刷される。
このように、ＰＯＳ端末１Ａでは、印紙の貼り付けが正しく処理された収納票Ｓのみに対して領収印が印刷されるため、収納代行業務を確実に処理することができる。
【０１０２】
また、ＰＯＳ端末１Ａでは、収納票Ｓから受領証を切り離した後に、収納票Ｓを吸入口６ａに吸入させると（三回目の読み取り）、収納票Ｓの画像における収納票Ｓのサイズに基づいて、収納票Ｓから受領証が切り離されたか否かを判定するため、収納票Ｓから受領証の取り忘れを防ぐことができる。
【０１０３】
ＰＯＳ端末１Ａでは、複数の収納票Ｓを保留部４０に格納することができるため、複数の収納票Ｓを連続して処理することができる。これにより、複数の収納票Ｓの収納金額をまとめて支払うことができるため、金銭の支払いを効率良く処理することができる。
【０１０４】
ＰＯＳ端末１Ａでは、保留部４０が満杯になると、保留部４０に格納された全ての収納票Ｓが排出されるため、保留部４０の容量に応じて、複数の収納票Ｓを適切に処理することができる。
【０１０５】
ＰＯＳ端末１Ａでは、収納票Ｓの画像における印紙貼付印の有無に基づいて、収納票Ｓに印紙が貼り付けられているか否かを判定しているため、収納票Ｓの印紙の有無を的確に判定することができる。
【０１０６】
ＰＯＳ端末１Ａでは、受領証が切り離されていると判定された収納票Ｓを格納する収納票格納部５０を備えているため、収納票Ｓの紛失を防ぐことができる。
【０１０７】
ＰＯＳ端末１Ａの保留部４０は、シート４３とともに、収納票Ｓを第一回転軸４１に巻き取るように構成されているため、大きさが異なる複数の収納票Ｓを一つの保留部４０に格納することができる。また、複数の収納票Ｓを第一回転軸４１に巻き取るため、保留部４０をコンパクトに形成することができる。
【０１０８】
以上、本発明の第一実施形態について説明したが、本発明は前記第一実施形態に限定されることなく、その趣旨を逸脱しない範囲で適宜に変更が可能である。
第一実施形態では、図４に示すように、収納票Ｓをスキャナ部２０が光学的に読み取り、その画像におけるデータコードを解析しているが、スキャナ部２０の他に、データコードを読み取るためのデータコードリーダを搬送路１０に設けてもよい。
【０１０９】
第一実施形態では、保留部４０のシート４３上で収納票Ｓをスキャナ部２０が読み取るとともに、シート４３上で収納票Ｓに対してプリンタ部３０が印紙貼付印および領収印を印刷するように構成されているが、スキャナ部２０およびプリンタ部３０をシート４３よりも吸入部６側で第一搬送路１１に設けてもよい。
【０１１０】
第一本実施形態では、収納票格納部５０が搬送路１０に接続されているが、ＰＯＳ端末１Ａ内に収納票格納部５０を設けることなく、受領証が切り離された収納票Ｓを店員が他の場所に格納してもよい。
【０１１１】
また、図１２に示すように、収納票格納部５０を独立させてもよい。図１２に示す収納票格納部５０は、収納票Ｓの吸入部５６および排出部５７と、複数の収納票を格納可能な格納部５４と、吸入部５６および排出部５７と格納部５４との間で収納票Ｓを搬送する搬送路５１と、を備えている。さらに、図１２に示す収納票格納部５０の搬送路５１には、スキャナ部５２が設けられている。
【０１１２】
図１２に示す収納票格納部５０では、受領証が切り離された収納票Ｓを吸入部５６にセットすると、収納票Ｓは、吸入口５６ａに吸入され、収納票Ｓをスキャナ部５２が読み取る。そして、収納票格納部５０の制御部は、収納票Ｓの画像における収納票Ｓのサイズに基づいて、収納票Ｓから受領証が切り離されているか否かを判定する。
収納票格納部５０の制御部は、収納票Ｓから受領証が切り離されている場合は、その収納票Ｓを格納部５４に格納する。また、制御部は、収納票Ｓから受領証が切り離されていない場合は、その収納票Ｓを排出口５７ａから排出する。
【０１１３】
第一実施形態の保留部４０では、図４に示すように、一つの第一回転軸４１にシート４３を巻き付けているが、図１３に示すように、二つの第一回転軸４１ａ，４１ａを間隔を空けて配置し、二つの第一回転軸４１ａ，４１ａにシート４３を巻き付けてもよい。
この構成では、保留部４０を高さ方向において小型化することができるため、ＰＯＳ端末１Ａをコンパクトに構成することができる。
【０１１４】
［第二実施形態］
本発明の第二実施形態のＰＯＳ端末１Ｂは、図１４に示すように、第一実施形態のＰＯＳ端末１Ａ（図４参照）と略同様な構成であり、第一保留部４０Ａおよび第二保留部４０Ｂを備えている点が異なる。
【０１１５】
第二実施形態のＰＯＳ端末１Ｂは、第一保留部４０Ａと、第二保留部４０Ｂと、第一搬送路１１と第二保留部４０Ｂとの間に設けられた第四搬送路１６と、を備えている。第一保留部４０Ａは、第一実施形態のＰＯＳ端末１Ａ（図４参照）の保留部４０と同じ構成である。
【０１１６】
第四搬送路１６は、一方の端部が第三ブレード１６ａを介して第一搬送路１１に接続され、他方の端部は第二保留部４０Ｂに接続されている。
第四搬送路１６は、初期状態では第一搬送路１１から離れており、第三ブレード１６ａの向きを切り替えることで、第一搬送路１１に接続される。第四搬送路１６を第一搬送路１１に接続した状態では、第一搬送路１１上の収納票Ｓは、第四搬送路１６を通じて第二保留部４０Ｂに格納される。
【０１１７】
第二保留部４０Ｂは、第四搬送路１６に接続されている。第二保留部４０Ｂは、複数の収納票Ｓを格納することができる。
第二保留部４０Ｂは、第一保留部４０Ａと同じ構成であり、第一回転軸４１と、第二回転軸４２と、第一回転軸４１と第二回転軸４２とに掛け渡されたシート４３と、を備えている。
【０１１８】
第二保留部４０Ｂの第一回転軸４１は、第四搬送路１６の端部に接続されており、第二回転軸４２は、第一回転軸４１よりも第一搬送路１１側に配置されている。
第二保留部４０Ｂのシート４３において、第一回転軸４１と第二回転軸４２との間の部位は、第四搬送路１６のローラに支持されており、第四搬送路１６のベルトに連続している。
第二保留部４０Ｂは、収納票Ｓをシート４３とともに第一回転軸４１に巻き取ることで、複数の収納票Ｓを第一回転軸４１の外周に格納することができる。
【０１１９】
次に、図１４に示す第二実施形態のＰＯＳ端末１Ｂにおける収納票Ｓの処理について、図１５および図１６に示すフローチャートを適宜に参照して説明する。
収納票Ｓの印紙貼付処理において、データコードの印紙貼付情報に、収納票Ｓに印紙の貼り付けが必要であると示され（Ｓ１１０においてＹＥＳ）、さらに、第二保留部４０Ｂが満杯ではない場合は（Ｓ１１０ａにおいてＮＯ）、駆動制御部１２０（図３参照）は、収納票Ｓを第二保留部４０Ｂに格納する（Ｓ１１０ｂ）。
【０１２０】
また、収納票Ｓに印紙の貼り付けが不要であると示され（Ｓ１１０においてＮＯ）、さらに、第一保留部４０Ａが満杯ではない場合は（Ｓ１１０ｃにおいてＮＯ）、駆動制御部１２０（図３参照）は、収納票Ｓを第一保留部４０Ａに格納する（Ｓ１１０ｄ）。
【０１２１】
このように、第二実施形態のＰＯＳ端末１Ｂでは、第二保留部４０Ｂには、印紙の貼り付けが必要な収納票Ｓが格納され、第一保留部４０Ａには、印紙の貼り付けが不要な収納票Ｓが格納される。
そして、第二実施形態のＰＯＳ端末１Ｂでは、第一保留部４０Ａおよび第二保留部４０Ｂに収納票Ｓを格納した後に支払い処理に移行する。
【０１２２】
ステップ１１０ａにおいて、第二保留部４０Ｂが満杯である場合は（Ｓ１１０ａにおいてＹＥＳ）、駆動制御部１２０（図３参照）は、収納票Ｓを排出口７ａから排出する（Ｓ１１０ｅ）。
また、ステップ１１０ｃにおいて、第一保留部４０Ａが満杯である場合は（Ｓ１１０ｃにおいてＹＥＳ）、駆動制御部１２０（図３参照）は、収納票Ｓを排出口７ａから排出する（Ｓ１１０ｅ）。
【０１２３】
第二実施形態のＰＯＳ端末１Ｂでは、支払い処理（Ｓ２０３）が終了し、印紙の貼り付けが必要であると判定された収納票Ｓがある場合は（Ｓ３０１においてＹＥＳ）、駆動制御部１２０（図３参照）は、第二保留部４０Ｂから収納票Ｓを排出する（Ｓ３０１ａ）。このとき、プリンタ部３０は収納票Ｓに印紙貼付印を印刷する（Ｓ３０１ｂ）。
【０１２４】
このようにして、第二保留部４０Ｂに格納されている全ての収納票Ｓが排出口７ａから排出されると（Ｓ３０１ｃにおいてＹＥＳ）、店員は収納票Ｓに印紙を貼り付ける。また、制御部１００は、印紙を貼り付けた収納票Ｓを吸入部６にセットするように促す表示を店員側タッチパネル３（図１参照）に表示する（Ｓ３０２）。
第二保留部４０Ｂに格納されている全ての収納票Ｓが排出口７ａから排出されていない場合は（Ｓ３０１ｃにおいてＮＯ）、ステップＳ３０１ａに戻って、第二保留部４０Ｂから収納票Ｓを排出する。
【０１２５】
印紙の貼り付けが必要な収納票Ｓを吸入口６ａに吸入し、印紙貼付判定部１６０において収納票Ｓに印紙が貼り付けられていると判定され（Ｓ３１２においてＹＥＳ）、第一保留部４０Ａが満杯ではない場合は（Ｓ３１３ａにおいてＮＯ）、駆動制御部１２０（図３参照）は、収納票Ｓを第一保留部４０Ａに格納する（Ｓ３１４ａ）。
また、第一保留部４０Ａが満杯である場合は（Ｓ３１３ａにおいてＹＥＳ）、駆動制御部１２０は、収納票Ｓを第二保留部４０Ｂに格納する（Ｓ３１４ｂ）。
【０１２６】
収納票Ｓを第一保留部４０Ａおよび第二保留部４０Ｂに格納した後に、吸入部６のセンサが収納票Ｓを検出しない場合は（Ｓ３２１においてＮＯ）、制御部１００は、収納票Ｓの印紙貼付処理が終了したことを確認する表示を店員側タッチパネル３に表示する（Ｓ３２２）。
【０１２７】
印紙貼付処理が全て終了したことが店員側タッチパネル３に入力されると（Ｓ３２２においてＹＥＳ）、駆動制御部１２０（図３参照）は、第一保留部４０Ａおよび第二保留部４０Ｂに格納されている収納票Ｓを排出し（Ｓ３２３ａ）、プリンタ部３０が収納票Ｓに領収印を印刷する（Ｓ３２４）。さらに、駆動制御部１２０は、領収印が印刷された収納票Ｓを排出口７ａから排出する。
このようにして、第一保留部４０Ａおよび第二保留部４０Ｂに格納されていた全ての収納票Ｓが排出口７ａから排出される（Ｓ３２５）。
【０１２８】
第二実施形態のＰＯＳ端末１Ｂでは、印紙の貼り付けが必要な複数の収納票Ｓを第二保留部４０Ｂに格納し、第二保留部４０Ｂから全ての収納票Ｓを排出して、収納票Ｓに印紙を貼り付けることができる。したがって、複数の収納票Ｓにまとめて印紙を貼り付けることができるため、作業効率を高めることができる。
また、二つの保留部４０Ａ，４０Ｂを用いることで、収納票Ｓを格納可能な枚数を増やすことができるため、一回に処理する収納票Ｓの枚数を増やすことができる。
【０１２９】
［第三実施形態］
本発明の第三実施形態のＰＯＳ端末１Ｃは、図１７に示すように、第一実施形態のＰＯＳ端末１Ａ（図４参照）と略同様な構成であり、収納票Ｓに光を照射する光源２２を備えるとともに、排出口７ａにカッタ７ｂが設けられている点が異なる。
【０１３０】
第三実施形態のＰＯＳ端末１Ｃでは、スキャナ部２０の読取部２１に対向する位置に光源２２が設けられている。読取部２１と光源２２とは、第一搬送路１１を挟んで配置されている。読取部２１は、第一搬送路１１の表側に配置されており、収納票Ｓの表面の画像を取得する。光源２２は、第一搬送路１１の裏側に配置されており、収納票Ｓの裏面に光を照射する。
【０１３１】
第三実施形態の制御部では、収納票Ｓの画像において、店舗控えと受領証との境界に形成されたミシン目を検出する。このとき、収納票Ｓの裏面に光が照射されており、光がミシン目の各スリットを裏側から表側に通過しているため、画像のミシン目を認識し易くなっている。
【０１３２】
第三実施形態の制御部は、収納票Ｓの画像におけるミシン目の位置に基づいて、第一搬送路１１上の収納票Ｓのミシン目と、カッタ７ｂの切断位置との距離を算出し、ミシン目がカッタ７ｂの切断位置に配置されるように、収納票Ｓを排出口７ａに移動させる。
【０１３３】
次に、図１７に示す第三実施形態のＰＯＳ端末１Ｂにおける収納票Ｓの処理について、図１８に示すフローチャートを適宜に参照して説明する。
第三実施形態のＰＯＳ端末１Ｃでは、収納票格納処理において、収納票Ｓに受領印が印刷されると（Ｓ３２４）、光源２２は収納票Ｓの裏面に光を照射し（Ｓ３２５ａ）、スキャナ部２０は収納票Ｓの表面を光学的に読み取る（Ｓ３２５ｂ）。
【０１３４】
制御部は、収納票Ｓの画像におけるミシン目を検出し（Ｓ３２５ｃ）、画像におけるミシン目の位置に基づいて、収納票Ｓのミシン目がカッタ７ｂの切断位置に配置されるように、収納票Ｓを移動させる（Ｓ３２５ｄ）。このとき、受領証のみが排出口７ａから外部に突出した状態となる。
【０１３５】
そして、カッタ７ｂによって店舗控えと受領証との間のミシン目が切断される（Ｓ３２５ｅ）。このとき、ミシン目全体を切断することなく、ミシン目の一部を連結しておく。
【０１３６】
制御部１００（図３参照）は、店員側タッチパネル３（図１参照）に収納票Ｓから受領証の切り離し指示を表示させる（Ｓ４０１）。これにより、店員が収納票Ｓから受領証を切り離す。
このとき、店舗控えと受領証との間のミシン目の大部分は、カッタ７ｂによって切断されているため、店員は収納票Ｓから簡単に受領証を切り離すことができる。なお、カッタ７ｂによってミシン目全体を切断してもよい。
なお、受領証が切り離された収納票Ｓは排出口７ａから吸入され、収納票格納部５０に格納される。
【０１３７】
第三実施形態のＰＯＳ端末１Ｃでは、スキャナ部２０が収納票Ｓのミシン目を検出し、ミシン目をカッタ７ｂによって切断することができるため、収納票Ｓから受領証を確実に切り離すことができる。
【符号の説明】
【０１３８】
１Ａ    ＰＯＳ端末（第一実施形態）
１Ｂ    ＰＯＳ端末（第二実施形態）
１Ｃ    ＰＯＳ端末（第三実施形態）
３      店員側タッチパネル
４      顧客側タッチパネル
５      現金処理部
６      吸入部
６ａ    吸入口
７      排出部
７ａ    排出口
７ｂ    カッタ
８      記憶部
１０    搬送路
１１    第一搬送路
１２    第二搬送路
１３    第三搬送路
１４    ピックアップローラ
１５    分離部
１６    第四搬送路
２０    スキャナ部（貼付印形成部、領収印形成部）
２１    読取部
２２    光源
３０    プリンタ部
４０    保留部
４０Ａ  第一保留部
４０Ｂ  第二保留部
４１    第一回転軸
４２    第二回転軸
４３    シート
５０    収納票格納部
５１    搬送路
５２    スキャナ部（画像取得部）
５４    格納部
５６    吸入部
５６ａ  吸入口
５７    排出部
５７ａ  排出口
１００  制御部
１１０  主制御部
１２０  駆動制御部
１３０  データコード判定部
１４０  データコード解析部
１５０  位置特定部
１６０  印紙貼付判定部
１７０  受領証判定部
２００  通信部
３００  センタサーバ
Ｎ      通信網
Ｓ      収納票
【図１】
2017151777.tif 000003
【図２】
2017151777.tif 000004
【図３】
2017151777.tif 000005
【図４】
2017151777.tif 000006
【図５】
2017151777.tif 000007
【図６】
2017151777.tif 000008
【図７】
2017151777.tif 000009
【図８】
2017151777.tif 000010
【図９】
2017151777.tif 000011
【図１０】
2017151777.tif 000012
【図１１】
2017151777.tif 000013
【図１２】
2017151777.tif 000014
【図１３】
2017151777.tif 000015
【図１４】
2017151777.tif 000016
【図１５】
2017151777.tif 000017
【図１６】
2017151777.tif 000018
【図１７】
2017151777.tif 000019
【図１８】
2017151777.tif 000020